(57)【要約】【課題】補助作業灯に関する配置態様を合理的なものにできる植播系作業機を提供する。【解決手段】機体フレーム１６と、機体フレーム１６に支持される予備苗フレーム４０と、機体フレーム１６の上側に位置するボンネット２２と、ボンネット２２に備えられる前照灯２３と、前照灯２３とは別の補助作業灯４２と、予備苗フレーム４０に支持されると共に、補助作業灯４２を支持するステー５３と、が備えられ、ステー５３が、補助作業灯４２の横外側を覆っている。【選択図】図３
2015223089.tif 000002
【特許請求の範囲】
【請求項１】
機体フレームと、
前記機体フレームに支持される支持フレームと、
前記機体フレームの上側に位置するボンネットと、
前記ボンネットに備えられる前照灯と、
前記前照灯とは別の補助作業灯と、
前記支持フレームに支持されると共に、前記補助作業灯を支持するステーと、が備えられ、
前記ステーが、前記補助作業灯の横外側を覆っており、
前記ステーに対して前記補助作業灯が向き変更可能となるように、前記補助作業灯と前記ステーとを連結する連結機構が備えられ、
前記支持フレームが、前記機体フレームよりも横外側箇所に複数段の予備苗台を支持する予備苗フレームであり、
前記補助作業灯が、前記前照灯の高さと略同じ高さに位置し、
前記機体フレームに支持される搭乗ステップが備えられ、
前記補助作業灯が、前記搭乗ステップよりも横外側に位置し、
前記補助作業灯が、前記複数段の予備苗台のうち最下段の予備苗台よりも下側に位置し、
前記補助作業灯に接続されるハーネスが備えられ、
前記ハーネスが、前記予備苗フレームの内部を通過するように配索されている植播系作業機。
【請求項２】
機体フレームと、
前記機体フレームに支持される支持フレームと、
前記機体フレームの上側に位置するボンネットと、
前記ボンネットに備えられる前照灯と、
前記前照灯とは別の補助作業灯と、
前記支持フレームに支持されると共に、前記補助作業灯を支持するステーと、が備えられ、
前記ステーが、前記補助作業灯の横外側を覆っており、
前記ステーに対して前記補助作業灯が向き変更可能となるように、前記補助作業灯と前記ステーとを連結する連結機構が備えられ、
前記支持フレームが、前記機体フレームよりも横外側箇所に複数段の予備苗台を支持する予備苗フレームであり、
前記補助作業灯が、前記前照灯の高さと略同じ高さに位置し、
前記機体フレームに支持される搭乗ステップが備えられ、
前記補助作業灯が、前記搭乗ステップよりも横外側に位置し、
前記補助作業灯が、前記複数段の予備苗台のうち最下段の予備苗台よりも下側に位置している植播系作業機。
【請求項３】
機体フレームと、
前記機体フレームに支持される支持フレームと、
前記機体フレームの上側に位置するボンネットと、
前記ボンネットに備えられる前照灯と、
前記前照灯とは別の補助作業灯と、
前記支持フレームに支持されると共に、前記補助作業灯を支持するステーと、が備えられ、
前記ステーが、前記補助作業灯の横外側を覆っており、
前記ステーに対して前記補助作業灯が向き変更可能となるように、前記補助作業灯と前記ステーとを連結する連結機構が備えられ、
前記支持フレームが、前記機体フレームよりも横外側箇所に複数段の予備苗台を支持する予備苗フレームであり、
前記補助作業灯が、前記前照灯の高さと略同じ高さに位置し、
前記機体フレームに支持される搭乗ステップが備えられ、
前記補助作業灯が、前記搭乗ステップよりも横外側に位置している植播系作業機。
【請求項４】
機体フレームと、
前記機体フレームに支持される支持フレームと、
前記機体フレームの上側に位置するボンネットと、
前記ボンネットに備えられる前照灯と、
前記前照灯とは別の補助作業灯と、
前記支持フレームに支持されると共に、前記補助作業灯を支持するステーと、が備えられ、
前記ステーが、前記補助作業灯の横外側を覆っており、
前記ステーに対して前記補助作業灯が向き変更可能となるように、前記補助作業灯と前記ステーとを連結する連結機構が備えられ、
前記支持フレームが、前記機体フレームよりも横外側箇所に複数段の予備苗台を支持する予備苗フレームであり、
前記補助作業灯が、前記前照灯の高さと略同じ高さに位置している植播系作業機。
【請求項５】
機体フレームと、
前記機体フレームに支持される支持フレームと、
前記機体フレームの上側に位置するボンネットと、
前記ボンネットに備えられる前照灯と、
前記前照灯とは別の補助作業灯と、
前記支持フレームに支持されると共に、前記補助作業灯を支持するステーと、が備えられ、
前記ステーが、前記補助作業灯の横外側を覆っており、
前記ステーに対して前記補助作業灯が向き変更可能となるように、前記補助作業灯と前記ステーとを連結する連結機構が備えられ、
前記支持フレームが、前記機体フレームよりも横外側箇所に複数段の予備苗台を支持する予備苗フレームである植播系作業機。
【請求項６】
機体フレームと、
前記機体フレームに支持される支持フレームと、
前記機体フレームの上側に位置するボンネットと、
前記ボンネットに備えられる前照灯と、
前記前照灯とは別の補助作業灯と、
前記支持フレームに支持されると共に、前記補助作業灯を支持するステーと、が備えられ、
前記ステーが、前記補助作業灯の横外側を覆っており、
前記ステーに対して前記補助作業灯が向き変更可能となるように、前記補助作業灯と前記ステーとを連結する連結機構が備えられている植播系作業機。
【請求項７】
機体フレームと、
前記機体フレームに支持される支持フレームと、
前記機体フレームの上側に位置するボンネットと、
前記ボンネットに備えられる前照灯と、
前記前照灯とは別の補助作業灯と、
前記支持フレームに支持されると共に、前記補助作業灯を支持するステーと、が備えられ、
前記ステーが、前記補助作業灯の横外側を覆っている植播系作業機。
【請求項８】
機体フレームと、
前記機体フレームに支持される搭乗ステップと、が備えられ、
前記搭乗ステップに、
前記機体フレームの上側に位置する主ステップ部と、
前記主ステップ部の横外縁部側に位置する拡張ステップ部と、が備えられ、
前記拡張ステップ部が、第一所定方向に沿って延びる線状の複数の第一部分と、前記第一所定方向と交差する第二所定方向に沿って延びる線状の複数の第二部分と、により格子状に構成され、
前記各第二部分の上面の高さが、前記各第一部分の上面の高さよりも低く設定され、
前記各第一部分とは分離した状態で、前記第二部分の上面から上方に突出する凸部が、前記第一部分同士の間の箇所にそれぞれ備えられ、
前記各凸部が、平面視で円形状の形状とされている植播系作業機。
【請求項９】
機体フレームと、
前記機体フレームに支持される搭乗ステップと、が備えられ、
前記搭乗ステップに、
前記機体フレームの上側に位置する主ステップ部と、
前記主ステップ部の横外縁部側に位置する拡張ステップ部と、が備えられ、
前記拡張ステップ部が、第一所定方向に沿って延びる線状の複数の第一部分と、前記第一所定方向と交差する第二所定方向に沿って延びる線状の複数の第二部分と、により格子状に構成され、
前記各第二部分の上面の高さが、前記各第一部分の上面の高さよりも低く設定され、
前記各第一部分とは分離した状態で、前記第二部分の上面から上方に突出する凸部が、前記第一部分同士の間の箇所にそれぞれ備えられている植播系作業機。
【発明の詳細な説明】
【技術分野】
【０００１】
本発明は、水田に苗を植える田植機や水田に種を播く直播機等の植播系作業機に関する。
【背景技術】
【０００２】
［背景技術１］
例えば、下記の特許文献１に、従来の植播系作業機（特許文献１では「乗用型田植機」）が記載されている。特許文献１に記載された植播系作業機には、機体フレーム（特許文献１では「機体フレーム［８］」）と、機体フレームに支持される支持フレームと、機体フレームの上側に位置するボンネット（特許文献１では「ボンネット［１３］」）と、ボンネットに備えられる前照灯と、前照灯とは別の補助作業灯（特許文献１では「補助作業灯［７１］」）と、が備えられている。
【０００３】
補助作業灯を用いて光を照射することにより、植播系作業機の周辺の視認性を向上できる。
【０００４】
［背景技術２］
例えば、下記の特許文献２に、従来の植播系作業機（特許文献２では「乗用型田植機」）が記載されている。特許文献２に記載された植播系作業機には、機体フレーム（特許文献２では「車体フレーム［２０］」）と、機体フレームに支持される搭乗ステップ（特許文献２では「運転部ステップ［３０］」）と、が備えられている。搭乗ステップには、機体フレームの上側に位置する主ステップ部（特許文献２では「メインステップ［３１］」）と、主ステップ部の横外縁部側に位置する拡張ステップ部（特許文献２では「拡張ステップ［３５］」）と、が備えられている。そして、拡張ステップ部は、第一所定方向に沿って延びる線状の複数の第一部分と、第一所定方向と交差する第二所定方向に沿って延びる線状の複数の第二部分と、により格子状に構成されている。
【０００５】
このように、拡張ステップ部を格子状に構成することにより、拡張ステップ部の下方への視認性を確保できると共に、拡張ステップ部に雨水等が溜まらないようにできる。
【先行技術文献】
【特許文献】
【０００６】
【特許文献１】特開２０１３−７０６５８号公報（図１、図２）
【特許文献２】特開２０１３−２０８０８４号公報（図９）
【発明の概要】
【発明が解決しようとする課題】
【０００７】
［発明が解決しようとする課題１］
上記［背景技術１］に記載のような従来の技術では、補助作業灯の外周が剥き出しとなっており、機体外方から接近する障害物に補助作業灯が晒された状態となっていた。このため、補助作業灯の配置態様について、さらなる合理化を図る余地があった。
上記実情に鑑み、補助作業灯に関する配置態様を合理的なものにできる植播系作業機の提供が望まれていた。
【０００８】
［発明が解決しようとする課題２］
上記［背景技術２］に記載のような従来の技術では、拡張ステップ部における各第二部分の上面の高さは、各第一部分の上面の高さよりも低く設定されており、拡張ステップ部に載る作業者の足裏部分は、専ら、第一所定方向に沿って延びる各第一部分の上面に接触するようになっていた。このため、拡張ステップ部における滑り止め効果には、方向により若干の差異が生じていた。
上記実情に鑑み、拡張ステップ部における滑り止め効果を均一化できる植播系作業機の提供が望まれていた。
【課題を解決するための手段】
【０００９】
上記［発明が解決しようとする課題１］を解決するべく、本発明のうち請求項１に係る植播系作業機は、機体フレームと、前記機体フレームに支持される支持フレームと、前記機体フレームの上側に位置するボンネットと、前記ボンネットに備えられる前照灯と、前記前照灯とは別の補助作業灯と、前記支持フレームに支持されると共に、前記補助作業灯を支持するステーと、が備えられ、前記ステーが、前記補助作業灯の横外側を覆っており、前記ステーに対して前記補助作業灯が向き変更可能となるように、前記補助作業灯と前記ステーとを連結する連結機構が備えられ、前記支持フレームが、前記機体フレームよりも横外側箇所に複数段の予備苗台を支持する予備苗フレームであり、前記補助作業灯が、前記前照灯の高さと略同じ高さに位置し、前記機体フレームに支持される搭乗ステップが備えられ、前記補助作業灯が、前記搭乗ステップよりも横外側に位置し、前記補助作業灯が、前記複数段の予備苗台のうち最下段の予備苗台よりも下側に位置し、前記補助作業灯に接続されるハーネスが備えられ、前記ハーネスが、前記予備苗フレームの内部を通過するように配索されているものである。
【００１０】
請求項１に係る発明によると、機体フレームの上側のボンネットに備えられる前照灯とは別の補助作業灯が備えられている。その補助作業灯は、機体フレームに支持される支持フレームに、ステーを介して支持されており、そのステーにより、補助作業灯の横外側が覆われている。これにより、外部から補助作業灯に対して障害物が接近したとしても、ステーによって、補助作業灯が保護され、補助作業灯の損傷を回避できる。このように、本発明によれば、補助作業灯に関する配置態様を合理的なものにできる。
【００１１】
さらに、連結機構を介してステーに連結される補助作業灯の向きを自在に変更可能なので、作業の状況に応じて、補助作業灯による照射光の光軸の調整を自在に行うことができる。
【００１２】
さらに、予備苗フレームを、支持フレームとして利用し、補助作業灯の支持及び保護を行うステーを支持するようにしているので、既存の構造を有効活用して、補助作業灯の支持及び保護を好適に行うことができる。
【００１３】
さらに、補助作業灯が前照灯と略同じ高さに位置しているので、前照灯による光の照射高さと、補助作業灯による光の照射高さとを揃えることができる。なお、ここで、補助作業灯が、前照灯の高さと略同じ高さに位置していることには、少なくとも補助作業灯の一部と前照灯の一部とが、同一水平面上に位置しておればよく、補助作業灯と前照灯とに高さに若干の差があることが含まれる。
【００１４】
さらに、補助作業灯が、作業者が搭乗する搭乗ステップよりも横外側に位置しているので、補助作業灯が、搭乗ステップ上における作業者の動きを阻害しない。
【００１５】
さらに、補助作業灯が、最下段の予備苗台よりも下側に位置しているので、補助作業灯を、予備苗台上で行われる苗の出し入れ作業を阻害しない。
【００１６】
さらに、予備苗フレームの内部を通過するように、補助作業灯に接続されるハーネスが配索されているので、予備苗フレームによってハーネスを保護できると共に、外部へのハーネスの露出が抑制されることによる美観の向上を実現できる。
【００１７】
上記［発明が解決しようとする課題１］を解決するべく、本発明のうち請求項２に係る植播系作業機は、機体フレームと、前記機体フレームに支持される支持フレームと、前記機体フレームの上側に位置するボンネットと、前記ボンネットに備えられる前照灯と、前記前照灯とは別の補助作業灯と、前記支持フレームに支持されると共に、前記補助作業灯を支持するステーと、が備えられ、前記ステーが、前記補助作業灯の横外側を覆っており、前記ステーに対して前記補助作業灯が向き変更可能となるように、前記補助作業灯と前記ステーとを連結する連結機構が備えられ、前記支持フレームが、前記機体フレームよりも横外側箇所に複数段の予備苗台を支持する予備苗フレームであり、前記補助作業灯が、前記前照灯の高さと略同じ高さに位置し、前記機体フレームに支持される搭乗ステップが備えられ、前記補助作業灯が、前記搭乗ステップよりも横外側に位置し、前記補助作業灯が、前記複数段の予備苗台のうち最下段の予備苗台よりも下側に位置しているものである。
【００１８】
請求項２に係る発明によると、機体フレームの上側のボンネットに備えられる前照灯とは別の補助作業灯が備えられている。その補助作業灯は、機体フレームに支持される支持フレームに、ステーを介して支持されており、そのステーにより、補助作業灯の横外側が覆われている。これにより、外部から補助作業灯に対して障害物が接近したとしても、ステーによって、補助作業灯が保護され、補助作業灯の損傷を回避できる。このように、本発明によれば、補助作業灯に関する配置態様を合理的なものにできる。
【００１９】
さらに、連結機構を介してステーに連結される補助作業灯の向きを自在に変更可能なので、作業の状況に応じて、補助作業灯による照射光の光軸の調整を自在に行うことができる。
【００２０】
さらに、予備苗フレームを、支持フレームとして利用し、補助作業灯の支持及び保護を行うステーを支持するようにしているので、既存の構造を有効活用して、補助作業灯の支持及び保護を好適に行うことができる。
【００２１】
さらに、補助作業灯が前照灯と略同じ高さに位置しているので、前照灯による光の照射高さと、補助作業灯による光の照射高さとを揃えることができる。なお、ここで、補助作業灯が、前照灯の高さと略同じ高さに位置していることには、少なくとも補助作業灯の一部と前照灯の一部とが、同一水平面上に位置しておればよく、補助作業灯と前照灯とに高さに若干の差があることが含まれる。
【００２２】
さらに、補助作業灯が、作業者が搭乗する搭乗ステップよりも横外側に位置しているので、補助作業灯が、搭乗ステップ上における作業者の動きを阻害しない。
【００２３】
さらに、補助作業灯が、最下段の予備苗台よりも下側に位置しているので、補助作業灯を、予備苗台上で行われる苗の出し入れ作業を阻害しない。
【００２４】
上記［発明が解決しようとする課題１］を解決するべく、本発明のうち請求項３に係る植播系作業機は、機体フレームと、前記機体フレームに支持される支持フレームと、前記機体フレームの上側に位置するボンネットと、前記ボンネットに備えられる前照灯と、前記前照灯とは別の補助作業灯と、前記支持フレームに支持されると共に、前記補助作業灯を支持するステーと、が備えられ、前記ステーが、前記補助作業灯の横外側を覆っており、前記ステーに対して前記補助作業灯が向き変更可能となるように、前記補助作業灯と前記ステーとを連結する連結機構が備えられ、前記支持フレームが、前記機体フレームよりも横外側箇所に複数段の予備苗台を支持する予備苗フレームであり、前記補助作業灯が、前記前照灯の高さと略同じ高さに位置し、前記機体フレームに支持される搭乗ステップが備えられ、前記補助作業灯が、前記搭乗ステップよりも横外側に位置しているものである。
【００２５】
請求項３に係る発明によると、機体フレームの上側のボンネットに備えられる前照灯とは別の補助作業灯が備えられている。その補助作業灯は、機体フレームに支持される支持フレームに、ステーを介して支持されており、そのステーにより、補助作業灯の横外側が覆われている。これにより、外部から補助作業灯に対して障害物が接近したとしても、ステーによって、補助作業灯が保護され、補助作業灯の損傷を回避できる。このように、本発明によれば、補助作業灯に関する配置態様を合理的なものにできる。
【００２６】
さらに、連結機構を介してステーに連結される補助作業灯の向きを自在に変更可能なので、作業の状況に応じて、補助作業灯による照射光の光軸の調整を自在に行うことができる。
【００２７】
さらに、予備苗フレームを、支持フレームとして利用し、補助作業灯の支持及び保護を行うステーを支持するようにしているので、既存の構造を有効活用して、補助作業灯の支持及び保護を好適に行うことができる。
【００２８】
さらに、補助作業灯が前照灯と略同じ高さに位置しているので、前照灯による光の照射高さと、補助作業灯による光の照射高さとを揃えることができる。なお、ここで、補助作業灯が、前照灯の高さと略同じ高さに位置していることには、少なくとも補助作業灯の一部と前照灯の一部とが、同一水平面上に位置しておればよく、補助作業灯と前照灯とに高さに若干の差があることが含まれる。
【００２９】
さらに、補助作業灯が、作業者が搭乗する搭乗ステップよりも横外側に位置しているので、補助作業灯が、搭乗ステップ上における作業者の動きを阻害しない。
【００３０】
上記［発明が解決しようとする課題１］を解決するべく、本発明のうち請求項４に係る植播系作業機は、機体フレームと、前記機体フレームに支持される支持フレームと、前記機体フレームの上側に位置するボンネットと、前記ボンネットに備えられる前照灯と、前記前照灯とは別の補助作業灯と、前記支持フレームに支持されると共に、前記補助作業灯を支持するステーと、が備えられ、前記ステーが、前記補助作業灯の横外側を覆っており、前記ステーに対して前記補助作業灯が向き変更可能となるように、前記補助作業灯と前記ステーとを連結する連結機構が備えられ、前記支持フレームが、前記機体フレームよりも横外側箇所に複数段の予備苗台を支持する予備苗フレームであり、前記補助作業灯が、前記前照灯の高さと略同じ高さに位置しているものである。
【００３１】
請求項４に係る発明によると、機体フレームの上側のボンネットに備えられる前照灯とは別の補助作業灯が備えられている。その補助作業灯は、機体フレームに支持される支持フレームに、ステーを介して支持されており、そのステーにより、補助作業灯の横外側が覆われている。これにより、外部から補助作業灯に対して障害物が接近したとしても、ステーによって、補助作業灯が保護され、補助作業灯の損傷を回避できる。このように、本発明によれば、補助作業灯に関する配置態様を合理的なものにできる。
【００３２】
さらに、連結機構を介してステーに連結される補助作業灯の向きを自在に変更可能なので、作業の状況に応じて、補助作業灯による照射光の光軸の調整を自在に行うことができる。
【００３３】
さらに、予備苗フレームを、支持フレームとして利用し、補助作業灯の支持及び保護を行うステーを支持するようにしているので、既存の構造を有効活用して、補助作業灯の支持及び保護を好適に行うことができる。
【００３４】
さらに、補助作業灯が前照灯と略同じ高さに位置しているので、前照灯による光の照射高さと、補助作業灯による光の照射高さとを揃えることができる。なお、ここで、補助作業灯が、前照灯の高さと略同じ高さに位置していることには、少なくとも補助作業灯の一部と前照灯の一部とが、同一水平面上に位置しておればよく、補助作業灯と前照灯とに高さに若干の差があることが含まれる。
【００３５】
上記［発明が解決しようとする課題１］を解決するべく、本発明のうち請求項５に係る植播系作業機は、機体フレームと、前記機体フレームに支持される支持フレームと、前記機体フレームの上側に位置するボンネットと、前記ボンネットに備えられる前照灯と、前記前照灯とは別の補助作業灯と、前記支持フレームに支持されると共に、前記補助作業灯を支持するステーと、が備えられ、前記ステーが、前記補助作業灯の横外側を覆っており、前記ステーに対して前記補助作業灯が向き変更可能となるように、前記補助作業灯と前記ステーとを連結する連結機構が備えられ、前記支持フレームが、前記機体フレームよりも横外側箇所に複数段の予備苗台を支持する予備苗フレームであるものである。
【００３６】
請求項５に係る発明によると、機体フレームの上側のボンネットに備えられる前照灯とは別の補助作業灯が備えられている。その補助作業灯は、機体フレームに支持される支持フレームに、ステーを介して支持されており、そのステーにより、補助作業灯の横外側が覆われている。これにより、外部から補助作業灯に対して障害物が接近したとしても、ステーによって、補助作業灯が保護され、補助作業灯の損傷を回避できる。このように、本発明によれば、補助作業灯に関する配置態様を合理的なものにできる。
【００３７】
さらに、連結機構を介してステーに連結される補助作業灯の向きを自在に変更可能なので、作業の状況に応じて、補助作業灯による照射光の光軸の調整を自在に行うことができる。
【００３８】
さらに、予備苗フレームを、支持フレームとして利用し、補助作業灯の支持及び保護を行うステーを支持するようにしているので、既存の構造を有効活用して、補助作業灯の支持及び保護を好適に行うことができる。
【００３９】
上記［発明が解決しようとする課題１］を解決するべく、本発明のうち請求項６に係る植播系作業機は、機体フレームと、前記機体フレームに支持される支持フレームと、前記機体フレームの上側に位置するボンネットと、前記ボンネットに備えられる前照灯と、前記前照灯とは別の補助作業灯と、前記支持フレームに支持されると共に、前記補助作業灯を支持するステーと、が備えられ、前記ステーが、前記補助作業灯の横外側を覆っており、前記ステーに対して前記補助作業灯が向き変更可能となるように、前記補助作業灯と前記ステーとを連結する連結機構が備えられているものである。
【００４０】
請求項６に係る発明によると、機体フレームの上側のボンネットに備えられる前照灯とは別の補助作業灯が備えられている。その補助作業灯は、機体フレームに支持される支持フレームに、ステーを介して支持されており、そのステーにより、補助作業灯の横外側が覆われている。つまり、ステーが、補助作業灯の支持機能と、補助作業灯のガード機能と、を兼ね備えている。これにより、外部から補助作業灯に対して障害物が接近したとしても、ステーによって、補助作業灯が保護され、補助作業灯の損傷を回避できる。このように、本発明によれば、補助作業灯に関する配置態様を合理的なものにできる。
【００４１】
さらに、連結機構を介してステーに連結される補助作業灯の向きを自在に変更可能なので、作業の状況に応じて、補助作業灯による照射光の光軸の調整を自在に行うことができる。
【００４２】
上記［発明が解決しようとする課題１］を解決するべく、本発明のうち請求項７に係る植播系作業機は、機体フレームと、前記機体フレームに支持される支持フレームと、前記機体フレームの上側に位置するボンネットと、前記ボンネットに備えられる前照灯と、前記前照灯とは別の補助作業灯と、前記支持フレームに支持されると共に、前記補助作業灯を支持するステーと、が備えられ、前記ステーが、前記補助作業灯の横外側を覆っているものである。
【００４３】
請求項７に係る発明によると、機体フレームの上側のボンネットに備えられる前照灯とは別の補助作業灯が備えられている。その補助作業灯は、機体フレームに支持される支持フレームに、ステーを介して支持されており、そのステーにより、補助作業灯の横外側が覆われている。つまり、ステーが、補助作業灯の支持機能と、補助作業灯のガード機能と、を兼ね備えている。これにより、外部から補助作業灯に対して障害物が接近したとしても、ステーによって、補助作業灯が保護され、補助作業灯の損傷を回避できる。このように、本発明によれば、補助作業灯に関する配置態様を合理的なものにできる。
【００４４】
上記［発明が解決しようとする課題２］を解決するべく、本発明のうち請求項８に係る植播系作業機は、機体フレームと、前記機体フレームに支持される搭乗ステップと、が備えられ、前記搭乗ステップに、前記機体フレームの上側に位置する主ステップ部と、前記主ステップ部の横外縁部側に位置する拡張ステップ部と、が備えられ、前記拡張ステップ部が、第一所定方向に沿って延びる線状の複数の第一部分と、前記第一所定方向と交差する第二所定方向に沿って延びる線状の複数の第二部分と、により格子状に構成され、前記各第二部分の上面の高さが、前記各第一部分の上面の高さよりも低く設定され、前記各第一部分とは分離した状態で、前記第二部分の上面から上方に突出する凸部が、前記第一部分同士の間の箇所にそれぞれ備えられ、前記各凸部が、平面視で円形状の形状とされているものである。
【００４５】
請求項８に係る発明によると、機体フレームに支持される搭乗ステップのうち、拡張ステップ部は、複数の第一部分と、複数の第二部分とによって、格子状に構成されている。そして、各第二部分の上面の高さは、各第一部分の上面の高さよりも低く設定されている。特に、各第二部分の上面には、上方に突出する複数の凸部が、それぞれ、備えられている。これらの凸部は、第一部分同士の間の箇所において、第二部分の上面から上方に突出されているので、拡張ステップ上において足裏部分を第一所定方向にスライドさせた際に、足裏部分に凸部が引っ掛かり易いものとなっている。しかも、これらの凸部は、第一部分とは分離した状態で、第二部分の上面から上方に突出されているので、拡張ステップ上において足裏部分を第二所定方向にスライドさせた際に、足裏部分に凸部が引っ掛かり易いものとなっている。すなわち、凸部によって、第一所定方向における滑り止め効果と第二所定方向における滑り止め効果を向上できる。このように、本発明によれば、拡張ステップ部における滑り止め効果を均一化できる。
【００４６】
さらに、各凸部が、平面視で円形状の形状とされているので、拡張ステップの上面の面内におけるいずれの方向に足裏部分がスライドされても、凸部により足裏部分に対して同じ引っ掛かり力が作用するものとなる。よって、拡張ステップにおける方向による滑り止め効果の差異を、より小さくできる。
【００４７】
上記［発明が解決しようとする課題２］を解決するべく、本発明のうち請求項９に係る植播系作業機は、機体フレームと、前記機体フレームに支持される搭乗ステップと、が備えられ、前記搭乗ステップに、前記機体フレームの上側に位置する主ステップ部と、前記主ステップ部の横外縁部側に位置する拡張ステップ部と、が備えられ、前記拡張ステップ部が、第一所定方向に沿って延びる線状の複数の第一部分と、前記第一所定方向と交差する第二所定方向に沿って延びる線状の複数の第二部分と、により格子状に構成され、前記各第二部分の上面の高さが、前記各第一部分の上面の高さよりも低く設定され、前記各第一部分とは分離した状態で、前記第二部分の上面から上方に突出する凸部が、前記第一部分同士の間の箇所にそれぞれ備えられているものである。
【００４８】
請求項９に係る発明によると、機体フレームに支持される搭乗ステップのうち、拡張ステップ部は、複数の第一部分と、複数の第二部分とによって、格子状に構成されている。そして、各第二部分の上面の高さは、各第一部分の上面の高さよりも低く設定されている。特に、各第二部分の上面には、上方に突出する複数の凸部が、それぞれ、備えられている。これらの凸部は、第一部分同士の間の箇所において、第二部分の上面から上方に突出されているので、拡張ステップ上において足裏部分を第一所定方向にスライドさせた際に、足裏部分に凸部が引っ掛かり易いものとなっている。しかも、これらの凸部は、第一部分とは分離した状態で、第二部分の上面から上方に突出されているので、拡張ステップ上において足裏部分を第二所定方向にスライドさせた際に、足裏部分に凸部が引っ掛かり易いものとなっている。すなわち、凸部によって、第一所定方向における滑り止め効果と第二所定方向における滑り止め効果を向上できる。このように、本発明によれば、拡張ステップ部における滑り止め効果を均一化できる。
【図面の簡単な説明】
【００４９】
【図１】乗用型田植機の左側面図である。
【図２】乗用型田植機の平面図である。
【図３】乗用型田植機の左半部、及び、補助作業灯の周辺の正面図である。
【図４】拡張ステップの平面図である。
【図５】拡張ステップの一部の斜視図である。
【図６】図４におけるＶＩ−ＶＩ断面図である。
【図７】乗降ステップの周辺の斜視図である。
【図８】別実施形態における補助作業灯の周辺の正面図である。
【発明を実施するための形態】
【００５０】
以下、図面を用いながら、本発明の一例である実施形態について説明する。
図１、図２に示されるように、乗用型田植機（水田作業機の一種である「植播系作業機」の一例）の走行機体は、走行装置としての前輪１０及び後輪１１による自走式に構成されている。乗用型田植機の走行機体には、苗植付装置１２と、原動部１３と、運転部１４と、左右の予備苗載部１５と、が備えられている。原動部１３及び運転部１４は、機体フレーム１６上に位置している。
【００５１】
苗植付装置１２は、走行機体の後部側に位置している。苗植付装置１２は、平行四連リンク構造のリンク機構１７を介して、走行機体の機体フレーム１６に連結されている。苗植付装置１２は、リンク機構１７を昇降駆動用の油圧シリンダ１８により昇降操作することで、機体フレーム１６に対して昇降自在とされている。
【００５２】
苗植付装置１２は、例えば、８条植え仕様に構成されている。この場合、苗植付装置１２には、８条分の苗が載置される苗のせ台１２ａと、８つの植付機構１２ｂと、５つの整地フロート１２ｃと、が備えられている。苗植付装置１２は、苗のせ台１２ａから取り出した苗を、各植付機構１２ｂによって圃場に植え付けながら、走行機体の進行に伴って各整地フロート１２ｃで圃場の整地を行うように構成されている。
【００５３】
原動部１３は、走行機体の前部側に位置している。原動部１３には、機体フレーム１６の前端部のマウントフレーム２０に支持されるエンジン２１が備えられている。エンジン２１は、ボンネット２２によって覆われている。ボンネット２２は、機体フレーム１６の上側に位置している。ボンネット２２の前端部には、左右一対の前照灯２３が、機体横方向に並べて備えられている。
【００５４】
運転部１４には、作業者が着座する運転座席２５と、操舵操作用のステアリングハンドル２６と、変速操作を行う操作レバー２７と、作業者が搭乗可能な搭乗ステップ２８と、が備えられている。エンジン２１は、運転座席２５の前方側に配置されている。
【００５５】
図１〜図３に示されるように、搭乗ステップ２８は、機体フレーム１６上に支持されている。搭乗ステップ２８には、主ステップ部３０と、拡張ステップ部３１と、リアステップ部３２と、センターカバー部３３と、が備えられている。主ステップ部３０と、拡張ステップ部３１と、リアステップ部３２と、センターカバー部３３とは、それぞれが別部材で構成されている。
【００５６】
図３に示されるように、主ステップ部３０は、機体フレーム１６における機体左右中央側の前端部に位置するマウントフレーム２０の上側に位置している。図２に示されるように、主ステップ部３０は、ボンネット２２の左右両外側、ボンネット２２の後側、運転座席２５の前側に亘る形状とされている。主ステップ部３０は、ボンネット２２の左右両脇を通って、機体前端部にまで至っている。主ステップ部３０は、機体フレーム１６に固定されている。
【００５７】
図２に示されるように、拡張ステップ部３１は、主ステップ部３０の左右両横外側に、それぞれ配置されている。各拡張ステップ部３１は、機体フレーム１６における左右の拡張フレーム３５に対して、それぞれ、ボルト等により着脱自在となっている。各拡張ステップ部３１は、主ステップ部３０の機体横外縁部側に隣接した状態で位置している。各拡張ステップ部３１の横内縁部は、主ステップ部３０の横外縁部の形状に沿った形状とされている。各拡張ステップ部３１の機体横外縁部の前部は、後方から前方に向かうにつれて、機体内側に位置する形状とされている。図１〜図３、図７に示されるように、各拡張ステップ部３１の下方横外側には、それぞれ、乗降ステップ３９が備えられている。
【００５８】
図３に示されるように、主ステップ部３０の上面と、拡張ステップ部３１の上面とは、略同じ高さに位置し、略面一となっている。
【００５９】
図２、図３に示されるように、リアステップ部３２は、主ステップ部３０及び拡張ステップ部３１の後側に配置されている。リアステップ部３２は、運転座席２５の左右両横外側に位置している。リアステップ部３２の上面は、主ステップ部３０の上面及び拡張ステップ部３１の上面よりも高い箇所に位置している。リアステップ部３２の両横外側方には、機体フレーム１６に支持される手摺り３６が、それぞれ備えられている。左右の手摺り３６は、横方向を向く架設部材３７によって互いに連結されている。
【００６０】
図２に示されるように、センターカバー部３３は、主ステップ部３０の後方に位置している。センターカバー部３３は、主ステップ部３０とリアステップ部３２とにより囲まれた領域に位置している。センターカバー部３３は、運転座席２５の支持台部分の上側及び支持台部分の横側を覆っている。
【００６１】
図２、図３から理解されるように、このように構成された搭乗ステップ２８は、機体横外側から乗降ステップ３９を用いて、拡張ステップ部３１、または、主ステップ部３０に対する横方向の乗り降りが可能になっていると共に、機体前端側から主ステップ部３０に対する前後方向の乗り降りが可能となっている。
【００６２】
図２、図３に示されるように、左右の予備苗載部１５は、それぞれ、走行機体の前部に配置されている。図１〜図３に示されるように、予備苗載部１５は、それぞれ、ボンネット２２の左右両横外側に位置している。各予備苗載部１５には、機体フレーム１６に支持される予備苗フレーム４０（「支持フレーム」の一例）と、複数の予備苗台４１と、前照灯２３とは別の補助作業灯４２と、予備苗フレーム４０に支持されると共に、補助作業灯４２を支持するステー５３と、が備えられている。つまり、補助作業灯４２及びステー５３は、左右一対で備えられている。また、各予備苗台４１は、それぞれ、各拡張ステップ部３１の上方に位置している。
【００６３】
図１、図３に示されるように、予備苗フレーム４０は、機体フレーム１６に支持されている。予備苗フレーム４０には、パイプ状の前支柱４５と、前支柱４５の後方に位置するパイプ状の後支柱４６と、が備えられている。
【００６４】
図３に示されるように、前支柱４５は、機体フレーム１６においてマウントフレーム２０から横外側に延出される横延出部材４７の機体横外端部に、前ブラケット４８を介して、ボルトの連結により、着脱自在に取り付けられている。横延出部材４７は、マウントフレーム２０から横外側に真っ直ぐに延出されてから、上向きに屈曲されたのち、機体横内側から機体横外側に向かうにつれて上方に位置するように傾斜する形状とされている。前支柱４５は、機体横内側から機体横外側に向かうにつれて上方に位置するように傾斜して延出されてから、上向きに屈曲されたのち、上方に向けて延出され、上端部付近において後方に屈曲され、後端部が後支柱４６に連結されている。
【００６５】
図１に示されるように、後支柱４６は、前支柱４５の後方箇所に配置されている。後支柱４６は、機体フレーム１６における拡張フレーム３５の機体横外縁部に固定されている。図１、図３に示されるように、後支柱４６の下端部は、拡張フレーム３５に連結される後ブラケット５９によって覆われている。後支柱４６は、上方に縦向きに延出されてから、機体横内向きに屈曲されたのち、上方に向かうにつれて機体横外側から機体横内側に位置するように延出され、上向きに屈曲されたのち、上方に縦向きに延出される。図２に示されるように、左右の後支柱４６の上端部は、横フレーム５０によって、互いに連結されている。
【００６６】
図１に示されるように、各予備苗載部１５において、前支柱４５と後支柱４６の上下中央部付近は、前後方向に延びる連結部材４９によって連結されている。図１、図３に示されるように、各予備苗載部１５において、前支柱４５と後支柱４６とには、複数の台フレーム５１が連結して備えられている。図３に示されるように、各台フレーム５１は、前支柱４５及び後支柱４６から機体横外向きに延出されるように配置されている。各台フレーム５１は、上下方向に等間隔を空けて配置されている。各台フレーム５１には、それぞれ、予備苗台４１が載置される。このように、予備苗フレーム４０は、機体フレーム１６よりも横外側箇所に複数段の予備苗台４１を支持している。予備苗台４１には、苗のせ台１２ａに対する補給用の苗が載置される。例えば、図１に示されるように、台フレーム５１は、４つ備えられ、台フレーム５１の数に対応して、予備苗台４１は、４段備えられている。
【００６７】
〔ステー及び補助作業灯〕
図１〜図３に示されるように、予備苗フレーム４０の前支柱４５には、正面視で機体横内側に開口されたＵ字状の形状とされたステー５３が、溶接等により固定して備えられている。ステー５３は、平板を屈曲して形成されている。ステー５３は、予備苗フレーム４０の前支柱４５の機体横外側に位置するものとされている。ステー５３は、前面及び後面が開放されている。ステー５３には、横向きの下部５５と、縦向きの縦部５７と、横向きの上部５８と、が備えられている。下部５５の機体横内端部は、前支柱４５の屈曲部５６に連結され、下部５５の機体横外端部は、縦部５７の下端部に連続している。下部５５は、機体横内側から機体横外側に向かうにつれて上方に位置するように傾斜している。縦部５７の上端部は、上部５８の機体横外端部に連続している。上部５８の機体横内端部は、前支柱４５において下部５５が連結される箇所よりも上方の箇所に連結されている。
【００６８】
左右のステー５３に、それぞれ、補助作業灯４２が支持されている。つまり、各補助作業灯４２は、前照灯２３よりも機体横外側に配置されている。各補助作業灯４２は、前支柱４５よりも機体横外側に配置されている。補助作業灯４２の機体横内側に、前支柱４５が位置しているので、前支柱４５によって、補助作業灯４２に対して機体横内側から接近する障害物から補助作業灯４２を保護できる。
【００６９】
図２に示されるように、補助作業灯４２は、平面視で、主ステップ部３０及び拡張ステップ部３１よりも機体横外側に配置されている。つまり、補助作業灯４２は、主ステップ部３０上、または、拡張ステップ部３１上を移動する作業者の動線から外れた箇所に位置している。このため、主ステップ部３０に対する機体前端からの乗降動作、及び、主ステップ部３０上、または、拡張ステップ部３１上における予備苗台４１に対する苗の補給作業等が行い易くなっている。
【００７０】
図１〜図３に示されるように、補助作業灯４２は、ステー５３に支持されている。図３に示されるように、補助作業灯４２は、ステー５３で囲まれる領域内に位置している。ステー５３は、補助作業灯４２の上側、下側、及び、横外側を覆っている。つまり、ステー５３は、補助作業灯４２を保護する保護部材として機能するように構成されている。左右の補助作業灯４２は、左右の前照灯２３の高さと略同じ高さに位置している。補助作業灯４２は、搭乗ステップ２８の主ステップ部３０よりも機体横外側に位置している。補助作業灯４２は、複数段の予備苗台４１のうち最下段の予備苗台４１よりも下側に位置している。補助作業灯４２は、ステー５３の縦部５７との間に横方向の間隔が空けられ、前支柱４５との間に横方向の間隔が空けられている。
【００７１】
図３に示されるように、ステー５３に対して補助作業灯４２が向き変更可能となるように、補助作業灯４２とステー５３とを連結する連結機構Ａ１が備えられている。連結機構Ａ１は、補助作業灯４２が、縦軸心Ｘ周りで回動自在となるように、ステー５３と補助作業灯４２とを連結している。連結機構Ａ１には、丸孔部６０と、上ピン部材６１と、下ブラケット６２と、上ブラケット６３と、下ピン部材６４と、が備えられている。丸孔部６０は、ステー５３の上部５８の左右中央部に開口されている。上ピン部材６１は、縦向きとされ、補助作業灯４２の上端の中央部に連結されている。下ブラケット６２は、下向き開放のＵ字状の形状とされ、ステー５３の下部５５の上面に溶接等により固定されている。上ブラケット６３は、上向き開放のＵ字状の形状とされ、補助作業灯４２の下端に溶接等により固定されている。下ピン部材６４は、縦向きとされ、下ブラケット６２に対して上ブラケット６３とを回動自在に連結している。下ブラケット６２の上面に、上ブラケット６３の下面が支持されている。上ピン部材６１の軸心と、下ピン部材６４の軸心は、縦軸心Ｘに一致している。
【００７２】
図１〜図３から理解されるように、このように取り付けられた左右の補助作業灯４２は、ステー５３に対して、縦軸心Ｘ周りで回動することにより、光の照射方向を縦軸心Ｘ周りに自在に変更可能となっている。
【００７３】
図３に示されるように、補助作業灯４２には、補助作業灯４２に電力や信号等を伝達するハーネス６５が接続されて備えられている。前支柱４５におけるステー５３の下部５５が接続される箇所と上部５８が接続される箇所との間において、補助作業灯４２側の箇所には、貫通孔４５Ａが開口されている。ハーネス６５は、貫通孔４５Ａを通じて予備苗フレーム４０の前支柱４５の内部を通過するように配索されている。
【００７４】
〔拡張ステップ部の具体構造〕
図１〜図６に示される拡張ステップ部３１は、合成樹脂材で構成されている。図４に示されるように、拡張ステップ部３１は、第一所定方向Ｄ１に沿って延びる線状の複数の第一部分７０と、第一所定方向Ｄ１と交差する第二所定方向Ｄ２に沿って延びる線状の複数の第二部分７１と、により格子状に構成されている。
【００７５】
図６に示されるように、各第二部分７１の上面７１ａの高さは、各第一部分７０の上面７０ａの高さよりも低く設定されている。図４〜図６に示されるように、隣接する第一部分７０同士の間の箇所には、各第一部分７０とは分離した状態で、第二部分７１の上面７１ａから上方に突出する凸部７３が、第一部分７０同士の間の箇所にそれぞれ備えられている。図４に示されるように、各凸部７３は、平面視で真円形状の形状とされている。
【００７６】
図６に示されるように、各凸部７３は、第一部分７０の上面７０ａよりも上方に突出している。つまり、凸部７３の上面７３ａは、第一部分７０の上面７０ａよりも高くなっている。このように、拡張ステップ部３１に、多数の凸部７３が備えられているので、作業者の足裏部分をスライドさせた際に、足裏部分が多数の凸部７３に引っ掛かり、高い滑り止め効果が発揮され、方向による滑り止め効果の差異を解消できる。
〔乗降ステップの具体構造〕
【００７７】
図１、図４、図７に示されるように、乗降ステップ３９は、機体フレーム１６の拡張フレーム３５に固定された支持ブラケット７４に対して、機体前後方向向きに複数のボルト等の締結具７５の締結によって取り付けられている。つまり、乗降ステップ３９は、機体フレーム１６に対して着脱自在とされている。これにより、機体フレーム１６に乗降ステップ３９を溶接等により固定する場合と比べて、乗降ステップ３９の交換、修理を容易に行うことができる。
【００７８】
［別実施形態］
以下に本発明の別実施形態について説明する。以下の各別実施形態において説明している箇所以外は、上記実施形態と同様である。また、上記実施形態及び以下の各別実施形態は、矛盾が生じない限り、適宜組み合わせることができる。
【００７９】
（１）上記実施形態では、予備苗フレーム４０の前支柱４５の内部に、補助作業灯４２のハーネス６５が配索されているものが一例に示されているが、これに限られない。予備苗フレーム４０の周囲に沿って、補助作業灯４２のハーネス６５が配索されていてもよい。
【００８０】
（２）上記実施形態では、補助作業灯４２の上側、下側、横外側に位置するステー５３が一例に示されているが、これに限られない。補助作業灯４２の後側を覆う他のステーであってもよい。
【００８１】
（３）上記実施形態では、補助作業灯４２が、前照灯２３と略同じ高さに位置しているものが一例に示されているが、これに限られない。前照灯２３よりも高い箇所に位置している補助作業灯や、前照灯２３よりも低い箇所に位置している補助作業灯であってもよい。
【００８２】
（４）上記実施形態では、ステー５３に対して補助作業灯４２が向き変更可能となるように支持されているものが一例に示されているが、これに限られない。ステー５３に固定された他の補助作業灯であってもよい。
【００８３】
（５）上記実施形態では、連結機構Ａ１によって、縦軸心Ｘ周りで揺動可能な補助作業灯４２が一例に示されているが、これに限られない。例えば、図８に示されるような他の連結機構Ａ２によって、ステー５３に連結支持される他の補助作業灯１００であってもよい。他の補助作業灯１００は、補助作業灯４２と同様に、ステー５３によって、上側、下側、機体横外側を保護され、前支柱４５によって、機体横内側を保護されるようになっている。他の連結機構Ａ２には、丸孔部１０１と、取付ブラケット１０２と、ボルト・ナット等により構成された回動支持部材１０３と、左右の横ピン部材１０４と、が備えられている。丸孔部１０１は、ステー５３の上部５８の左右中央部に開口されている。取付ブラケット１０２は、下方に開放された逆Ｕ字状の形状とされている。取付ブラケット１０２の左右中央部は、回動支持部材１０３により、ステー５３の丸孔部１０１に着脱可能に取り付けられている。回動支持部材１０３の回動軸心は、縦軸心Ｘに一致している。取付ブラケット１０２は、ステー５３に対して、縦軸心Ｘ周りで回動自在に支持されている。左右の横ピン部材１０４は、他の補助作業灯１００の左右両横側部に、それぞれ、横向きに突出するように固定して備えられている。左右の横ピン部材１０４の軸心は、横軸心Ｙに一致している。左右の横ピン部材１０４は、それぞれ、取付ブラケット１０２の左右の下端部に、横軸心Ｙ周りに回動自在に支持されている。つまり、他の補助作業灯１００は、ステー５３に対して、縦軸心Ｘ周りで回動可能で、且つ、横軸心Ｙ周りで回動可能となっている。これにより、他の補助作業灯１００は、横方向、及び、縦方向について、照射光の光軸の調整を自在に行うことができる。
【００８４】
（６）上記実施形態では、「支持フレーム」の一例として、予備苗フレーム４０が示されているが、これに限られない。例えば、苗のせ台１２ａのフレーム等の他のフレームを「支持フレーム」として利用してもよい。
【００８５】
（７）上記実施形態では、拡張ステップ部３１において第二部分７１の上面から上方に突出する凸部７３は、平面視で真円形状の形状とされているが、これに限られない。平面視で楕円形状、多角形状の他の凸部であってもよい。
【００８６】
（８）上記実施形態では、予備苗台４１が４段備えられているものが一例に示されているが、これに限られない。例えば、予備苗台４１が、１段〜３段、または、５段以上備えられていてもよい。
【００８７】
（９）上記実施形態では、エンジン２１が、運転座席２５の前方側に配置されているものが一例に示されているが、これに限られない。運転座席２５の下方側にエンジンが配置されていてもよい。
【００８８】
（１０）上記実施形態では、左右の表現が用いられているが、上記実施形態とは左右が逆になっている構造であってもよい。
【産業上の利用可能性】
【００８９】
本発明は、上記乗用型田植機の他、乗用型直播機、歩行型田植機、歩行型直播機等の他の植播系作業機にも利用できる。
【符号の説明】
【００９０】
１６            ：機体フレーム
２２            ：ボンネット
２３            ：前照灯
２８            ：搭乗ステップ
３０            ：主ステップ部
３１            ：拡張ステップ部
４０            ：予備苗フレーム（支持フレーム）
４１            ：予備苗台
４２、１００    ：補助作業灯
５３            ：ステー
６５            ：ハーネス
７０            ：第一部分
７０ａ          ：第一部分の上面
７１            ：第二部分
７１ａ          ：第二部分の上面
７３            ：凸部
Ａ１、Ａ２      ：連結機構
Ｄ１            ：第一所定方向
Ｄ２            ：第二所定方向
【図１】
2015223089.tif 000003
【図２】
2015223089.tif 000004
【図３】
2015223089.tif 000005
【図４】
2015223089.tif 000006
【図５】
2015223089.tif 000007
【図６】
2015223089.tif 000008
【図７】
2015223089.tif 000009
【図８】
2015223089.tif 000010